(57)【特許請求の範囲】
【請求項１】
手持ち式工具装置の作動モードを切替えるための作動モード切替えスイッチであって、手動操作可能な駆動部（２）と、該駆動部（２）により駆動される被動部（３）とが、互いに同軸的に相対回転し得るように回転軸線（Ａ）方向に突き合わせて配置されるとともに、ばね素子を収めた一対の凹所（５、５’）が、回転軸線（A）と交差するように駆動部（２）に偏心配置され、さらに作動モード切替えスイッチの手動操作により生じた駆動部（２）の角変位（α）により被動部（３）とともに回転軸線（Ａ）周りに変位するシフトロッド（４）が設けられ、作動モードの切替えは、駆動部（２）の角変位をシフトロッド（４）の回転軸線（Ａ）周りの変位により切替え部材の軸線方向変位に変換し、該切替え部材をスイッチ段の歯車対の実効位置から解除させることにより機械的に行われる作動モード切替えスイッチにおいて、ばね素子（６，６’）の基端（７，７’）を駆動部（２）に当接させると共に遊端（８，８’）は同一方向を指向させ、被動部（３）に対する駆動部（２）の角変位（α）に際し、少なくとも一方のばね素子（６，６’）の前記遊端（８，８’）を、駆動部（２）の凹所（５，５’）内に回転軸線（Ａ）方向から突出するように被動部（３）に偏心配置された少なくとも１個の接触部材（１０，１０’）に接触可能としたことを特徴とする作動モード切替えスイッチ。
【請求項２】
請求項１記載のスイッチにおいて、ばね素子（６，６’）の前記遊端（８，８’）を平坦な押圧部材（９，９’）によりカバーすることを特徴とするスイッチ。
【請求項３】
請求項１又は２に記載のスイッチにおいて、駆動部（２）の凹所（５，５’）を回転面内で回転軸線（Ａ）と交差させて配置したことを特徴とするスイッチ。
【請求項４】
請求項１〜３の何れか一項に記載のスイッチにおいて、前記ばね素子（６，６’）を圧縮コイルばねで構成したことを特徴とするスイッチ。
【請求項５】
請求項１〜４の何れか一項に記載のスイッチにおいて、該スイッチを鏡像対称的に形成したことを特徴とするスイッチ。
【請求項６】
請求項１〜５の何れか一項に記載のスイッチにおいて、手持ち式工具装置のハウジング（１１）に対する駆動部（２）の角度位置を、駆動部（２）のノッチ（１２）に係合する固定素子（１３）により固定可能としたことを特徴とするスイッチ。
【請求項７】
請求項６記載のスイッチにおいて、前記固定素子（１３）を、駆動部（２）のノッチ（１２）に係合する板ばねで構成したことを特徴とするスイッチ。
【請求項８】
請求項１〜７の何れか一項に記載のスイッチにおいて、シフトロッド（４）を被動部（３）に偏心的に配置したことを特徴とするスイッチ。
【請求項９】
請求項８記載のスイッチにおいて、前記シフトロッド（４）を被動部（３）に対して回動可能に配置したことを特徴とするスイッチ。
【発明の詳細な説明】
【０００１】
【発明の属する技術分野】
本発明は、ハンマードリル装置、スクリュードリル装置等の手持ち式工具装置において、その作動モードを切替えるためのモード切替えスイッチに関するものである。
【０００２】
【従来の技術】
ハンマードリル装置の場合、例えば、作動モードの切替え順序を、回転モード⇔回転打撃モード⇔チゼル位置決めモード⇔チゼルモードとすることが可能であり、各スイッチ段では両方向に切替え可能としている。
【０００３】
各種作動モードを有する手持ち式工具装置においては、多くの場合、各スイッチ段の機械的な切替えが必要である。そのためには、カウンタシャフト又はシフトスリーブ等の切替え部材を手動操作して軸線方向に変位させるのが普通である。
【０００４】
作動モード切替えスイッチにおいては、スイッチの手動操作により生じさせた駆動部の角変位を、偏心配置されたシフトロッドにより直接的に切替え部材の軸線方向運動に変換し、あるいは切替え補助手段を介して間接的に切替え部材の軸線方向運動に変換する。
【０００５】
作動モードは、選択されたスイッチ段の歯車対の間に中間歯車を介挿させた場合にのみ切替えが可能である。手動操作可能なモード切替え部材をスイッチ段の歯車対の実効位置から解除して切替えを同期させるため、通常、駆動部は局所的に固定可能とされ、切替え機構は弾性力の作用下で可動とされている。
【０００６】
ドイツ特許第３６１８０２４号明細書には、手持ち式工具装置の作動モードの同期切替えを行うために、弾性力の作用下で回動可能とされた作動モード切替えスイッチが記載されている。このスイッチは、手動操作可能な駆動部と、偏心的に担持されたシフトロッドとから構成される。シフトロッドは、駆動部に設けられた空隙内で偏心縁部が圧縮ばねにより負荷され、複数の安定位置を限定する半径方向の輪郭に沿って可動とされている。
【０００７】
ヨーロッパ特許第８３６９０２号明細書にも、手持ち式工具装置の作動モードの同期切替えを行うために、弾性力の作用下で回動可能とされた作動モード切替えスイッチが記載されている。このスイッチは、手動操作可能な駆動部と、偏心的に担持されたロッドを介して従動する被動部とを、互いに同軸的に相対回転し得るように軸線方向に突き合わせて配置した構成とされている。さらに、駆動部および被動部の内部には、回転軸線に直交する回転面内で弧状に配置された圧縮コイルばねを収めた一対の凹所が、互いに対向して配置されている。これらの圧縮コイルばねは、その両端が交互に駆動部内の凹所の端面、または被動部内の凹所の端面に接触する。被動部に対する駆動部の回動に際し、駆動部および被動部の遷移領域で軸線方向に配置した圧縮ばねは、両回転方向で均等に負荷される。すなわち、角変位に際して圧縮ばねは、対称的な特性を発揮するものである。
【０００８】
【発明の課題】
本発明の課題は、角変位に際して圧縮ばねが、回転方向に応じて非対称的な特性を発揮する構成とした、手持ち式工具装置用の作動モード切替えスイッチを提案することにある。
【０００９】
【課題の解決手段】
この課題を解決するため、本発明は、請求項１に記載した事項を特徴とするものである。また、本発明の有利な実施形態は、従属請求項に記載したとおりである。
【００１０】
本発明による作動モード切替えスイッチにおいては、手動操作可能な駆動部と、該駆動部により駆動される被動部とが、互いに同軸的に相対回転し得るように回転軸線方向に突き合わせて配置され、さらに、ばね素子を収めた一対の凹所が、回転軸線と交差するように駆動部に偏心配置されている。さらに作動モード切替えスイッチの手動操作により生じた駆動部の角変位により被動部とともに回転軸線周りに変位するシフトロッドが設けられている。作動モードの切替えは、駆動部の角変位をシフトロッドの回転軸線周りの変位により、カウンタシャフト又はシフトスリーブといったような切替え部材の軸線方向変位に変換し、該切替え部材をスイッチ段の歯車対の実効位置から解除させることにより機械的に行われる。ばね素子の基端を駆動部に当接させると共に遊端は同一方向を指向させる。そして、被動部に対する駆動部の角変位に際し、少なくとも一方のばね素子の遊端を、駆動部の凹所内に回転軸線方向から突出するように被動部に偏心配置された少なくとも１個の接触部材に接触可能とした構成とされている。
【００１１】
本発明によれば、被動部に対する駆動部の角変位に際し、駆動部の軸線方向領域内に配置したばね素子のうち、一方のばね素子だけが負荷される。その結果、角変位の回動方向が変化すると、ばね素子は非対称的な特性を発揮するものである。
【００１２】
ばね素子の遊端は、平坦な押圧部材によりカバーするのが好適である。この場合には、接触部材に対するばね素子の接触摩耗を低減することが可能である。
【００１３】
駆動部の凹所を回動面内で回転軸線と交差させて配置するのが好適であり、この場合にはモード切替えスイッチのコンパクトな構造を容易に実現することが可能である。
【００１４】
ばね素子を圧縮コイルばねで構成するのが好適であり、この場合には、コンパクトな構造であっても線形のばね特性を容易に実現することが可能である。
【００１５】
モード切替スイッチを鏡像対称的に形成するのが好適であり、この場合には、角変位量に関連して回転方向に依存しないばね力を発現させることが可能である。
【００１６】
手持ち式工具装置のハウジングに対する駆動部の角度位置は、駆動部のノッチに係合する固定素子により固定可能とするのが好適である。この場合、予め手動で選択した作動モードがハウジングに対して自動的に固定可能となり、切替え順序に応じたスイッチ段に対応する角変位が伝達機構の同期切替えに至るまで保持されると共に、切替え機構内で一時的に蓄積されたばね力に作用する。
【００１７】
固定素子を、駆動部のノッチに係合する板ばねで形成するのが好適であり、かかる構成は技術的に容易に実現可能である。
【００１８】
シフトロッドを被動部に偏心的に配置し、更に、自由回転可能に担持するのが好適である。シフトロッドは、Ｕ字金具等の切替え補助手段と結合することができる。
【００１９】
【好適な実施形態】
以下、本発明を図示の好適な実施形態について更に具体的に説明する。
【００２０】
図１に示す作動モード切替えスイッチ１は、手動操作可能な駆動部２と、駆動部２により駆動される被動部３とを具える。駆動部２および被動部３は、互いに同軸的に相対回転し得るように軸線方向で突き合わせて配置されている。被動部３により、偏心ロッド４を自由回動可能に担持する。駆動部２内では、回転軸線Ａと直交する回転面内で２個の凹所５，５’を偏心的に設ける。これらの凹所５，５’内には、圧縮コイルばねとして形成した２個のばね素子６，６’が収められている。ばね素子の基端７，７’は駆動部２に当接する。ばね素子６，６’の遊端８，８’は、案内面を曲げて形成した平坦な押圧部材９，９’によりカバーされ、互いに同一方向を指向している。ばね素子６，６’の遊端８，８’には、凹所５，５’内に軸線方向から係合するように偏心配置された接触部材１０，１０’が接触可能とされている。
【００２１】
図２に示す作動モード切替えスイッチ１は鏡像対称的に構成されており、駆動部２および被動部３の間に角変位αを有する。交互に一方のばね素子６だけが、凹所５内に軸線方向から係合するよう被動部３に偏心配置された一方接触部材１０だけに接触すると共に、他方のばね素子６’だけが他方の接触部材１０’に対して非接触とされるものである。ハウジング１１に対する駆動部２の角度位置は、駆動部２のノッチ１２に係合する固定素子１３としての板ばねにより自動的に固定される。
【図面の簡単な説明】
【図１】  本発明による作動モード切替えスイッチを示す分解斜視図である。
【図２】  角変位させた状態の作動モード切替えスイッチを示す正面図である。
【符号の説明】
１  作動モード切替えスイッチ
２  駆動部
３  被動部
４  シフトロッド
５，５’  凹所
６，６’  ばね素子
７，７’  基端
８，８’  遊端
９，９’  押圧部材
１０,１０’  接触部材
１１  ハウジング
１２  ノッチ
１３  固定素子
【図１】
0004472911.tif 000002
【図２】
0004472911.tif 000003